(57)【要約】【課題】あるユーザが手動操作により直接に画像取得装置を操作している場合に、他のユーザが操作端末からの操作により当該画像取得装置を操作したときでも、あるユーザの原稿画像が他のユーザに盗取されることを防止することにある。【解決手段】操作端末から受信したエンジン３８に係る読み取り条件を表す設定データを記録し、記録された設定データを所定の期間だけロック状態に設定しておき、設定データがロック状態に設定されている場合に、物体の接近を検知すると、ユーザによる手動操作を受け付けたことを表す原稿読み取り実行指示に従ってエンジン３８により画像を読み取り、操作指示を拒否することができる。【選択図】図３
2017022488.tif 000002
【特許請求の範囲】
【請求項１】
少なくとも１つの操作端末からの操作指示を通信ネットワークを介して受信する通信手段と、
前記操作指示に従って原稿から画像データを読み取る画像読み取り手段と、を備えた画像取得装置であって、
自装置に人体を含む物体が接近したか否かを検知する接近検知手段と、
前記操作端末から受信した前記画像読み取り手段に係る読み取り条件を表す設定データを記録する設定記録手段と、
前記設定記録手段に記録された設定データを所定の期間だけロック状態に設定する設定ロック管理手段と、
ユーザによる手動操作を受け付けて原稿読み取り実行指示を出力する操作手段と、
前記設定データがロック状態に設定されている場合に、前記接近検知手段が物体の接近を検知すると、前記原稿読み取り実行指示に従って前記画像読み取り手段により前記画像を読み取り、前記操作指示を拒否する読み取り実行手段と、を備えたことを特徴とする画像取得装置。
【請求項２】
時間を計時するタイマ手段を備え、
前記設定ロック管理手段は、前記設定データがロック状態に設定された時点から前記原稿読み取り実行指示がない放置状態が継続されている時間が一定時間を超えていない場合に、前記ロック状態を継続することを特徴とする請求項１記載の画像取得装置。
【請求項３】
時間を計時するタイマ手段を備え、
前記設定ロック管理手段は、前記放置状態が継続されている時間が一定時間を超えた場合に、前記ロック状態を解除することを特徴とする請求項２記載の画像取得装置。
【請求項４】
前記操作手段は、自装置に設けられた固定のスイッチであることを特徴とする請求項１乃至３の何れか一項記載の画像取得装置。
【請求項５】
前記操作手段は、自装置に設けられた操作パネル部であることを特徴とする請求項１乃至４の何れか一項記載の画像取得装置。
【請求項６】
前記操作手段は、
ユーザによる手動操作を受け付けて原稿読み取り実行指示を出力する専用の操作端末と、
前記専用の操作端末から前記原稿読み取り実行指示を受信する受信手段と、を備えたことを特徴とする請求項１乃至５の何れか一項記載の画像取得装置。
【請求項７】
請求項１乃至６の何れか一項記載の画像取得装置を備えたことを特徴とする画像形成装置。
【請求項８】
通信ネットワークを介して操作指示を送信する少なくとも１つの操作端末と、
前記操作端末からの操作指示を前記通信ネットワークを介して受信する通信手段、前記操作指示に従って原稿から画像データを読み取る画像読み取り手段を有する画像取得装置と、を備えた、画像読み取りシステムであって、
前記画像取得装置は、
自装置に人体を含む物体が接近したか否かを検知する接近検知手段と、
前記操作端末から受信した前記画像読み取り手段に係る読み取り条件を表す設定データを記録する設定記録手段と、
前記設定記録手段に記録された設定データを変更不可能なロック状態に設定する設定ロック管理手段と、
ユーザによる手動操作を受け付けて原稿読み取り実行指示を出力する操作手段と、
前記設定データがロック状態に設定されている場合に、前記接近検知手段が物体の接近を検知すると、前記原稿読み取り実行指示に従って前記画像読み取り手段により前記画像を読み取り、前記操作指示を拒否する読み取り実行手段と、を備えたことを特徴とする画像取得システム。
【請求項９】
少なくとも１つの操作端末からの操作指示を通信ネットワークを介して受信する通信手段と、
前記操作指示に従って原稿から画像データを読み取る画像読み取り手段と、
自装置に人体を含む物体が接近したか否かを検知する接近検知手段と、
ユーザによる手動操作を受け付けて原稿読み取り実行指示を出力する操作手段と、を備え、画像取得装置による画像取得方法であって、
前記操作端末から受信した前記画像読み取り手段に係る読み取り条件を表す設定データを設定記録手段に記録する記録ステップと、
前記設定記録手段に記録された設定データを所定の期間だけロック状態に設定する設定ロック管理ステップと、
前記設定データがロック状態に設定されている場合に、前記接近検知手段が物体の接近を検知すると、前記原稿読み取り実行指示に従って前記画像読み取り手段により前記画像を読み取り、前記操作指示を拒否する読み取り実行ステップと、を実行することを特徴とする画像取得方法。
【請求項１０】
請求項９記載の画像取得方法における各ステップをプロセッサに実行させることを特徴とするプログラム。
【発明の詳細な説明】
【技術分野】
【０００１】
本発明は、複数の操作端末と無線通信を行うことが可能な画像形成装置の運用に好適な技術に関する。
【背景技術】
【０００２】
近年、画像形成装置に付加された機能の一つとして、例えば人体検知センサを設け、人体が接近するとスリープ状態を解除する機能が知られている。これによって、煩わしいスリープ解除操作の手間を削減することができる。しかし、人体検知センサを利用した機能はまだ少なく活用しきれていない状態である。
一方、ユーザ操作性の優れたタブレット端末がオフィスや一般家庭にまで広く普及しており、ユーザはタブレット端末の操作性に慣れるようになってきた。さらに、タブレット端末を一人一台所有することも一般的になりつつある。
このようなタブレット端末の普及に伴い、様々な機能と多くの設定項目を有する画像形成装置に対しても、ユーザは高い操作性を求めるようになってきた。さらに、ユーザが所持するタブレット端末上で画像を扱うことも多くなり、ユーザが所持するタブレット端末を用いて画像形成装置を操作することも求められている。
【０００３】
しかし、移動自在な（備え付けでない）タブレット端末からの無線操作を受け付けるように画像形成装置を構成した場合、複数のユーザが夫々にタブレット端末を用いて同時に操作できるようになるため、画像形成装置に設けられた操作部を直接操作しているユーザがいるにも拘わらず、他のユーザ（タブレット端末）による無線操作によって直接操作が妨げられるといった問題があった。
例えば、あるユーザが画像形成装置に含まれる画像取得装置に設けられた原稿台に原稿を載置し、原稿スキャンを開始しようと準備している際に、他のユーザがタブレット端末を用いてスキャン実行を指示するための無線操作を開始した場合、他のユーザのタブレット端末に原稿から読み取った画像データが転送されるといった問題があった。
このような問題を解決するため、特許文献１では、画像形成装置がタブレット端末の位置を取得し、画像形成装置の近くにタブレット端末が位置しているか否かを調べ、画像形成装置の近くのタブレット端末からのみ無線操作を許可するという手法が既に知られている。
詳しくは、特許文献１には、タブレット端末から無線操作することが可能な画像形成装置において、遠隔から操作可能なタブレット端末を介さずに画像形成装置を利用しているユーザの操作が他のユーザの無線操作によって妨げられることを防ぐことを目的とし、画像形成装置がタブレット端末の位置情報を取得し、画像形成装置の近くにタブレット端末が位置しているか否かを調べ、一定距離内にタブレット端末が位置している場合、そのタブレット端末から画像形成装置のローカル操作を行うことを許可するという方法が開示されている。
【発明の概要】
【発明が解決しようとする課題】
【０００４】
しかし、特許文献１にあっては、画像形成装置を利用できるのは、ＧＰＳなどを利用して測位した自身の位置情報を画像形成装置に送信可能なタブレット端末のみであった。
このため、自身の位置を画像形成装置に送信できないタブレット端末を用いた場合でも、画像形成装置を直接に手動操作しているユーザの操作が他のユーザによる無線操作に起因した操作妨害を防止できることが切望されている。
また、あるユーザが手動操作により直接に画像取得装置を操作している場合に、他のユーザが操作端末からの操作により当該画像取得装置を操作した場合、無線操作に起因した操作妨害となり、例えば、あるユーザの原稿画像が他のユーザに盗取されるおそれがあるといった問題があった。
本発明は、上記に鑑みてなされたもので、その目的としては、あるユーザが手動操作により直接に画像取得装置を操作している場合に、他のユーザが操作端末からの操作により当該画像取得装置を操作したときでも、あるユーザの原稿画像が他のユーザに盗取されることを防止することにある。
【課題を解決するための手段】
【０００５】
請求項１記載の発明は、上記課題を解決するため、少なくとも１つの操作端末からの操作指示を通信ネットワークを介して受信する通信手段と、前記操作指示に従って原稿から画像データを読み取る画像読み取り手段と、を備えた画像取得装置であって、自装置に人体を含む物体が接近したか否かを検知する接近検知手段と、前記操作端末から受信した前記画像読み取り手段に係る読み取り条件を表す設定データを記録する設定記録手段と、前記設定記録手段に記録された設定データを所定の期間だけロック状態に設定する設定ロック管理手段と、ユーザによる手動操作を受け付けて原稿読み取り実行指示を出力する操作手段と、前記設定データがロック状態に設定されている場合に、前記接近検知手段が物体の接近を検知すると、前記原稿読み取り実行指示に従って前記画像読み取り手段により前記画像を読み取り、前記操作指示を拒否する読み取り実行手段と、を備えたことを特徴とする。
【発明の効果】
【０００６】
本発明によれば、あるユーザが手動操作により直接に画像取得装置を操作している可能性がある場合に、他のユーザが操作端末からの操作により当該画像取得装置を操作したときでも、あるユーザの原稿画像が他のユーザに盗取されることを防止することができる。
【図面の簡単な説明】
【０００７】
【図１】本発明の実施形態に係る画像取得システムの全体構成とその利用例について説明するための概念図である。
【図２】本発明の実施形態に係る画像取得システムのハードウェア構成について説明するためのブロック図である。
【図３】図２に示すコントローラの機能構成について説明するための機能ブロック図である。
【図４】本発明の実施形態に係る画像形成装置を制御するためのメインフローチャートである。
【図５】操作端末のディスプレイに表示された操作画面の一例を示す図である。
【図６】図４に示す読み取り実行処理のサブルーチンのフローチャートである。
【図７】他のユーザが画像形成装置の近くにいるため、操作端末から読み取りを実行ができないことを表すポップアップ表示の一例を示す図である。
【図８】図４に示す読み取り設定登録処理のサブルーチンのフローチャートである。
【図９】操作端末の読み取り実行や読み取り設定を登録するための操作画面の一例について説明するための図である。
【図１０】他のユーザの操作端末が既に設定データのロックをしているため、読み取り条件を表す設定データを登録ができないことを警告しているポップアップの例について説明するための図である。
【図１１】図４に示す設定ロック処理のサブルーチンを示すフローチャートである。
【図１２】設定データのロックが行えなかったことを警告しているポップアップの例について説明するための図である。
【図１３】図４に示すロック解除処理のサブルーチンを示すフローチャートである。
【発明を実施するための形態】
【０００８】
以下、本発明を図面に示した実施の形態により詳細に説明する。
本発明は、あるユーザが手動操作により直接に画像取得装置を操作している場合に、他のユーザが操作端末からの操作により当該画像取得装置を操作したときでも、あるユーザの原稿画像が他のユーザに盗取されることを防止するために、以下の構成を有する。
すなわち、本発明の画像取得装置は、少なくとも１つの操作端末からの操作指示を通信ネットワークを介して受信する通信手段と、操作指示に従って原稿から画像データを読み取る画像読み取り手段と、を備えた画像取得装置であって、自装置に人体を含む物体が接近したか否かを検知する接近検知手段と、操作端末から受信した画像読み取り手段に係る読み取り条件を表す設定データを記録する設定記録手段と、設定記録手段に記録された設定データを所定の期間だけロック状態に設定する設定ロック管理手段と、ユーザによる手動操作を受け付けて原稿読み取り実行指示を出力する操作手段と、設定データがロック状態に設定されている場合に、接近検知手段が物体の接近を検知すると、原稿読み取り実行指示に従って画像読み取り手段により画像を読み取り、操作指示を拒否する読み取り実行手段と、を備えたことを特徴とする。
以上の構成を備えることにより、あるユーザが手動操作により直接に画像取得装置を操作している場合に、他のユーザが操作端末からの操作により当該画像取得装置を操作したときでも、あるユーザの原稿画像が他のユーザに盗取されることを防止することができる。
上記の本発明の特徴に関して、以下、図面を用いて詳細に説明する。
【０００９】
図１は、本発明の実施形態に係る画像取得システムの全体構成とその利用例について説明するための概念図である。
画像取得システム１は、画像形成装置１０、操作端末１２Ａ、操作端末１２Ｂ、ルータ装置１４、ＬＡＮケーブル１６を備えている。図１に示す画像形成装置１０は、本発明の実施形態に係る画像取得装置に適用するものとして説明する。また、図１にはユーザ１８Ａ、ユーザ１８Ｂが示されている。
画像形成装置１０は、人体検知センサ２２、読み取り実行指示操作部２４を備え、読み取り実行指示操作部２４からの読み取り実行指示または操作端末１２Ａ、１２Ｂからの読み取り実行指示に従って、原稿台２６に載置された原稿から画像を読み取って画像データを出力する。
操作端末１２Ａは、原稿２８を所持したユーザ１８Ａによって携帯されているタブレット端末である。
操作端末１２Ｂは、ユーザ１８Ｂによって携帯されているタブレット端末である。
【００１０】
操作端末１２Ａ、１２Ｂは、夫々にＧＵＩ（Graphical User Interface）機能を有しており、表示画面にソフトボタンを表示するとともに、ユーザがソフトボタンを押し下げた場合に当該操作を検知して所望の操作指示を発行することが可能になる。
ルータ装置１４は、無線ＬＡＮと有線ＬＡＮとの間を通信プロトコルに従って通信するとともに、新たに無線ＬＡＮまたはＬＡＮケーブル１６に接続された操作端末に対してＩＰアドレスを割り付けて通信ルートを設定する。
【００１１】
図１に示す画像形成装置１０において、人体検知センサ２２は人体を含む物体の接近を検知する。
図１に示す例では、読み取り実行指示操作部２４は、画像形成装置１０に直接取り付けられたスイッチ又は操作パネル部である。読み取り実行指示操作部２４は、ユーザによる手動操作を受け付けて原稿読み取り実行指示を出力する。
また、操作端末１２Ａはユーザ１８Ａが利用するタブレット端末とし、操作端末１２Ｂはユーザ１８Ｂが利用するタブレット端末とする。
ユーザ１８Ａは操作端末１２Ａを用いて画像形成装置１０を操作し、原稿２８の読み取りを実行しようとしているユーザである。
また、ユーザ１８Ｂは操作端末１２Ｂを用いて画像形成装置１０を遠隔から無線操作している。ユーザ１８Ｂは遠隔から無線操作しているため、ユーザ１８Ａが原稿２８を画像形成装置１０の原稿台２６に載置したところで誤って読み取り実行指示を送信することも起こりうる。
【００１２】
本実施形態では、ユーザ１８Ａが画像形成装置１０の原稿台２６に原稿２８を載置した後に、操作端末１２Ａに対して操作を行っている間に、ユーザ１８Ｂが読み取り設定指示を送信し、画像データの保存先の設定データ（ＩＰアドレス）を操作端末１２Ｂに変更したとしても、画像形成装置１０が人体検知センサ２２のセンシング結果から近くに人がいると判断している間は、読み取り実行指示操作部２４以外から読み取り実行指示が実行されることはない。
このため、ユーザ１８Ａが前面にある読み取り実行指示操作部２４であるスイッチを押さない限り読み取りが実行されることはなく、誤ってユーザ１８Ｂが読み取り実行を操作端末１２Ｂから操作指示を送信しても、画像形成装置１０では読み取りを実行されることはない。
ユーザ１８Ａが画像形成装置１０の近くにいる状況で、ユーザ１８Ｂが操作端末１２Ｂから読み取り実行指示を送信した場合、操作端末１２Ｂに「読み取り実行指示操作部から読み取りの実行を指示してください」という旨のメッセージを表示する。
【００１３】
また、ユーザ１８Ａが画像形成装置１０の近くにいる間、操作端末１２Ｂの操作画面上の「読み取り実行」ボタンに対してグレーアウト表示させるなどの方法で、操作端末１２Ｂからは読み取り実行指示を送信できないことを示してもよい。
また、操作端末１２Ａから設定データを設定ロックすることができるため、ユーザ１８Ａが読み取り設定データを設定した後に読み取りを実行する前に、ユーザ１８Ｂが読み取り設定指示を送信したとしても、それを防止することができる。
ユーザ１８Ａが操作端末１２Ａを操作して設定データを設定ロックしているときに、ユーザ１８Ｂが操作端末１２Ｂで読み取り設定指示を出そうとした場合、操作端末１２Ｂに「操作端末１２Ａが読み取り設定をロックしています」という旨のメッセージが表示される。
また、他のユーザが既に設定データを設定ロックしている場合には、操作端末１２Ｂの操作画面上の「読み取り設定登録」ボタンがグレーアウト表示するなどの方法で、他のユーザが設定データを設定ロックしているため、設定を行えないことを示してもよい。
この例のように、本発明では、他のユーザが操作端末を用いて遠隔操作により、画像形成装置１０を使用中のユーザへの妨げを未然に防止することができる。
【００１４】
図２は、本発明の実施形態に係る画像取得システム１のハードウェア構成について説明するためのブロック図である。
画像取得システム１は、画像形成装置１０、操作端末１２Ａ、操作端末１２Ｂ、ルータ装置１４、ＬＡＮケーブル１６を備えている。
画像形成装置１０は、読み取り実行指示操作部２４に含まれる操作パネル部３２及びスイッチ３４、人体検知センサ２２、コントローラ３６、エンジン３８を備えている。なお、読み取り実行指示操作部２４に含まれる操作パネル部３２とスイッチ３４は、両方あってもよいし、どちらか一方でもよい。
人体検知センサ２２は、人体から放射される赤外線を検知する赤外線検知センサ、画像形成装置１０の前面に布設され感圧マットに人体が乗った場合に人体を検知する感圧検知センサ、画像形成装置１０の前面を撮影して画像認識処理により人体を検知するカメラの何れか１つであればよい。なお、人体検知センサ２２は、人体を含む物体の接近を検知することが可能である。また、人体検知センサ２２は複数のセンサの組み合わせでもよい。
【００１５】
コントローラ３６は、ハードウェアを制御するためのプログラムやアプリケーションソフトウエアを記憶するＲＯＭ３６ａと、ＲＯＭ３６ａからロードしたプログラムのワーク領域用として用いるＲＡＭ３６ｂと、ＲＡＭ３６ｂにロードしたプログラムを実行するためのＣＰＵ３６ｃを備えている。
エンジン３８は、原稿台２６に載置された原稿２８から読み取った画像データに基づいて画像を形成する。すなわち、エンジン３８は、スキャナエンジン、プリンタエンジンを備えている。スキャナエンジンは、コントローラ３６に登録された読み取り設定データに従って、原稿台２６に載置された原稿２８から画像データを読み取る。プリンタエンジンは、例えば白黒プロッタ、１ドラムカラープロッタ、４ドラムカラープロッタなど公知のものである。なお、このエンジンには、プロッタなどのいわゆるエンジン部分に加えて、誤差拡散やガンマ変換などの画像処理部分が含まれ、コントローラ３６から出力される処理済みの印刷データに基づいて、画像を形成し記録媒体に印刷して出力する。
【００１６】
図３は、コントローラ３６の機能構成について説明するための機能ブロック図である。
コントローラ３６は、通信部４０、人体検知部４２、読み取り実行部４４、読み取り設定登録部４６、設定ロック管理部４８、画像記録部５０、設定記録部５２を備えている。
通信部４０は、ＬＡＮケーブル１６を介して操作端末１２Ａ、１２Ｂとの間で周知の通信プロトコルに従って通信データを通信（送信・受信）する。
人体検知部４２は、人体検知センサ２２である赤外線検知センサ、感圧検知センサ、カメラなどからのセンサ信号に基づいて、画像形成装置１０に人体を含む物体が接近したか否かを検知し、検知信号を読み取り実行部４４に出力する。
【００１７】
読み取り実行部４４は、読み取り実行指示操作部２４に含まれる操作パネル部３２またはスイッチ３４からの手動操作による読み取りの実行指示を受け付ける場合と、操作端末１２から通信部４０を介して読み取りの実行指示を受け付ける場合とがある。後者の場合、読み取り実行部４４は、人体検知部４２から取得した検知結果に基づいて、画像形成装置１０に接近している人体がいないことを判断した後、原稿の読み取りを実行する。
読み取り実行部４４は、エンジン３８に対して実行指示を発行し、原稿台２６に載置された原稿２８から画像を読み取って画像データを生成する。
読み取り実行部４４は、設定記録部５２に記録されている読み取り条件を表す読み取り設定データに基づいて、画像データの保存先を判断し、設定データが操作端末１２のＩＰアドレスである場合に、画像データを通信部４０を介して操作端末１２に転送して保存させる。一方、読み取り実行部４４は、設定データとしてＩＰアドレスが指定されていない場合は、画像記録部５０に保存する。
【００１８】
読み取り設定登録部４６は、操作端末１２から通信部４０を介して読み取り設定指示を受信した場合に、受信した読み取り条件を表す設定データを設定記録部５２に登録する。ただし、読み取り設定登録部４６は、読み取り設定指示を行った操作端末１２のＩＰアドレスが、読み取り設定データを登録してよい操作端末であるか否かを設定記録部５２に記録されているロック端末設定データのＩＰアドレスを調べることにより判断し、記録してよい操作端末でない場合は記録を行わない。
設定ロック管理部４８は、設定記録部５２に記録された設定データを所定時間の間だけ所定の期間だけロック状態に設定する。すなわち、設定ロック管理部４８は、通信部４０が設定データについての設定ロック指示を操作端末１２から受信した場合に、設定ロック指示を送信した送信元の操作端末１２の情報（ＩＰアドレス）を、ロック端末設定データとして設定記録部５２に記録する。ただし、設定ロック管理部４８は、設定記録部５２にロック端末設定データ（ＩＰアドレス）が既に記録されている場合、読み取り設定データを設定記録部５２に記録しない。
【００１９】
また、設定ロック管理部４８は、ロック解除指示があった場合、ロック端末設定データを設定記録部５２から削除する。ただし、ロック解除指示を送信した送信元の操作端末１２の情報（ＩＰアドレス）が、設定記録部５２のロック端末設定データ（ＩＰアドレス）に記録されていない場合は、設定記録部５２からの削除は行わない。
画像記録部５０は、画像テーブル５０ｔを有し、読み取り設定データとしてＩＰアドレスが指定されていない場合に、エンジン３８により原稿から読み取った画像データが読み取り実行部４４を介して入力されたときに、その画像データを画像テーブル５０ｔに保存する。
【００２０】
設定記録部５２は、設定テーブル５２ｔを有し、読み取り条件を表す設定データとロック端末設定データを設定テーブル５２ｔに記録するとともに、この設定テーブル５２ｔからデータを読み取る。
設定テーブル５２ｔには、読み取り条件を表す読み取り設定データ（以下、設定データという）は、原稿の読み取りを実行するときに参照するデータであり、保存先などの設定データが保存されており、例えばＤＰＩ：６００、保存先：１９２，０，０，１、Ｃｏｌｏｒ：Ａｕｔｏが保存されている。ロック端末設定データは、設定ロック指示を送信した送信元の操作端末１２に係る情報が保存されており、例えば操作端末１２ＡのＩＰアドレス（１９２，０，０，１）が保存されている。
なお、本実施形態では、設定テーブル５２ｔにロック端末設定データ（ＩＰアドレス）が登録されている状態にあるときにロック状態にあるといい、ロック端末設定データが登録されていない状態にあるときにロック状態が解除されている解除状態にあることとする。
専用端末設定データは、当該画像形成装置１０の管理者が用いる端末のデータであり、例えばＩＰアドレス（１９２，１２８，０，７）が保存されている。
【００２１】
ロック端末設定データとしてＩＰアドレスが登録されている場合、そのＩＰアドレスが示す操作端末以外の他の操作端末からの設定ロック指示や、ロック解除指示に対応した処理は実行されない。ロック端末設定データ（ＩＰアドレス）が設定テーブル５２ｔに登録されていない場合は、読み取り設定指示や設定ロック指示は、それがどの操作端末１２Ａ、１２Ｂからの指示であっても実行される。
なお、上述したような設定ロックを用いたユーザの排他機能にあっては、長時間に渡ってロック解除を行わないユーザがいる場合、ロック設定を行っていない他のユーザによる利用を制限するという問題が生じる。
【００２２】
しかし、この問題は、ロック端末設定データとして設定テーブル５２ｔに記録されているＩＰアドレスを有する操作端末１２Ａ、１２Ｂから一定時間以上の間だけ操作指示がない場合、設定テーブル５２ｔからロック端末設定データを削除することで回避することができる。
ところが、長時間に渡って操作せずに放置した後に原稿２８の読み取り実行指示を送信すると、設定テーブル５２ｔに記憶された読み取り条件を表す設定データが事前に変更されている可能性が発生する。
そのため、本実施形態では、ユーザの使い方の種類により、ロック状態は自動で解除されるか否か、自動で解除される場合はどの程度の経過時間で解除されるのかを、設定することができる。
【００２３】
図４は、本発明の実施形態に係る画像形成装置１０を制御するためのメインフローチャートである。
まず、画像形成装置１０に電源が投入されると、コントローラ３６が起動される。すなわち、ＣＰＵ３６ｃはＲＯＭ３６ａからオペレーティングシステムＯＳを読み出してＲＡＭ３６ｂ上にブートしてＯＳを起動する。次いで、ＣＰＵ３６ｃは、ＯＳ管理下において、ＲＯＭ３６ａからアプリケーションソフトウエアのプログラムを読み出し、図４に示すフローチャートの処理内容を含むプログラムを起動開始する（Ｓ１０１）。以下、コントローラ３６が行う各処理については図３に示すコントローラ３６が行うこととして説明する。
【００２４】
なお、図４に示すループ（Ｓ１０２〜Ｓ１０８）では、読み取り実行指示操作部２４からの原稿読み取り実行指示、または操作端末１２Ａ、１２Ｂからの操作指示が与えられたときに、夫々の指示に対応する処理を実行する。一方、いずれかの指示がない場合は指示が与えられるまでループ処理を繰り返す。ただし、図４に示すフローチャートでは、読み取り実行指示操作部２４や操作端末１２Ａ、１２Ｂからの夫々の操作指示を受け付ける方法については省略している。
コントローラ３６は、読み取り実行指示操作部２４に設けられたスイッチ３４や操作パネル部３２から原稿２８に対しての読み取り実行指示を受信したか否か判断する（Ｓ１０２）。もしくは、コントローラ３６は、操作端末１２Ａ、１２Ｂから読み取り実行指示を受信したか否かを判断する（Ｓ１０３）。
【００２５】
読み取り実行指示操作部２４から原稿読み取り実行指示を受信した場合（Ｓ１０２、Ｙ）、もしくは操作端末１２Ａ、１２Ｂから読み取り実行指示を受信した場合（Ｓ１０３、Ｙ）に、コントローラ３６は、読み取り実行処理を実行する（Ｓ１０４）ため、読み取り実行処理に関するサブルーチン（図６）をコールする。
操作端末１２Ａ、１２Ｂから読み取り設定指示を受信した場合（Ｓ１０３、Ｎ）、コントローラ３６は、読み取り設定登録処理を実行する（Ｓ１０５）ため、読み取り設定登録処理に関するサブルーチン（図８）をコールする。
【００２６】
操作端末１２Ａ、１２Ｂから設定ロック指示を受信した（Ｓ１０３、Ｎ）場合、コントローラ３６は、設定ロック処理を実行する（Ｓ１０６）ため、設定ロック処理に関するサブルーチン（図１１）をコールする。
操作端末１２Ａ、１２Ｂからロック解除指示を受信した（Ｓ１０３、Ｎ）場合、コントローラ３６は、ロック解除処理を実行する（Ｓ１０７）ため、ロック解除処理に関するサブルーチン（図１３）をコールする。
コントローラ３６は、アプリケーションソフトウエアによる動作の終了指示として例えばシャットダウン指示を受信したか否かを判断する（Ｓ１０８）。
アプリケーションソフトウエアによる動作の終了指示された（Ｓ１０８、Ｙ）場合、コントローラ３６は、本フローチャートに従った処理を終了する。一方、アプリケーションソフトウエアによる動作の終了指示を受信していない（Ｓ１０８、Ｎ）場合、コントローラ３６は、ステップＳ１０２に戻り、上述した処理を繰り返す。
【００２７】
図５は、操作端末１２Ａ、操作端末１２Ｂのディスプレイに表示された操作画面の一例を示す図である。
操作端末１２Ａ、１２Ｂには、ＧＵＩ機能が搭載されており、アプリケーションソフトウエアを実行することにより、操作端末１２Ａ、１２Ｂの表示画面には、「読み取り実行」ボタン６２、「読み取り設定」ボタン６４、「設定ロック」ボタン６６、「ロック解除」ボタン６８が表示されている。操作端末１２Ａ、１２Ｂでは、ユーザ操作により、何れか１つのボタンが押し下げられた場合に、そのボタンに対応した操作指示が操作端末１２Ａ、１２Ｂから無線ＬＡＮによりルータ装置１４に送信され、さらにルータ操作から画像形成装置１０に当該操作指示が送信される。
【００２８】
以下、図５に示す各ボタンの役割について説明する。
操作端末１２Ａ、１２Ｂでは、ユーザが「読み取り実行」ボタン６２を押下すると、操作端末１２Ａ、１２Ｂに搭載されているアプリケーションソフトウエアが画像形成装置１０に対して読み取り実行指示を送信する。
「読み取り設定」ボタン６４は、読み取り条件を表す設定データを指定し、このアプリケーションソフトウエアが画像形成装置１０に読み取り設定指示を送信する。
操作端末１２Ａ、１２Ｂでは、ユーザが「読み取り設定」ボタン６４を押下した場合に、表示画面が図９に示す設定画面に切り替わる。
ユーザが「設定ロック」ボタン６６を押下すると、このアプリケーションソフトウエアが画像形成装置１０に設定データに関する設定ロック指示を送信する。
【００２９】
事前に他の操作端末１２Ａが画像形成装置１０に対して、設定データの設定ロックを行った場合、当該操作端末１２Ｂでは設定データの設定ロックは行えない。設定データの設定ロックが行えなかった場合、設定データのロックが行えなかったことを表すメッセージと、既に設定データの設定ロックを行っている他の操作端末１２Ａに関する情報を表示する。
ユーザが「ロック解除」ボタン６８を押下すると、このアプリケーションソフトウエアが画像形成装置１０にロック解除指示を送信する。
なお、本実施形態では、上述した読み取り実行指示、読み取り設定指示、設定ロック指示、ロック解除指示を操作指示として、操作端末１２Ａ、１２Ｂから画像形成装置１０に送信することとする。
【００３０】
図６は、図４に示す読み取り実行処理のサブルーチンのフローチャートである。
ステップＳ２０１では、読み取り実行部４４は、読み取り実行指示操作部２４であるスイッチ３４や操作パネル部３２からの手動操作による指示を受け付けたか否かを判断する。読み取り実行指示操作部２４からの指示ではなかった場合（Ｓ２０１、Ｎｏ）、その指示は操作端末１２Ｂからの指示であるため、ステップＳ２０２へ進む。
操作端末１２Ｂからの読み取り実行指示であった場合に、ステップＳ２０２では、読み取り実行部４４は、人体検知部４２が人体を近くに検知していないか否かを判断する。近くに人体を検知している場合（Ｓ２０２、Ｎo）ときは、操作端末１２Ｂからの読み取り実行指示を実行せず、この読み取り実行指示を拒否することとし、ステップＳ２０５へ進む。
ステップＳ２０３では、読み取り実行部４４は、設定記録部５２から取得した読み取り条件を表す設定データに従って、エンジン３８を制御して原稿台２６に載置された原稿２８から画像の読み取りを行い、画像データを生成する。
【００３１】
ステップＳ２０４では、読み取り実行部４４は、設定記録部５２から取得した読み取り条件を表す設定データに従って、ステップＳ２０３で生成した画像データを保存する。
操作端末１２Ｂからの読み取り実行指示がある場合（Ｓ２０１、Ｎｏ）に、画像形成装置１０の近くに人体を検知しているとき（Ｓ２０２、Ｎｏ）には、操作端末１２Ｂからの読み取り実行指示に対応できないため、ステップＳ２０５では、読み取り実行部４４は、操作端末１２Ｂに読み取り実行指示に対応できなかったことを表すメッセージを通知する。操作端末１２Ｂ上で動作しているアプリケーションソフトウエアは、この通知を受信して、図７に示す例のように、この通知の内容を画面上に表示する。
【００３２】
図７は、他のユーザ（人体）が画像形成装置１０の近くにいるため、操作端末１２Ｂから読み取りを実行ができないことを表すポップアップ表示の一例を示す図である。
他のユーザが画像形成装置１０の近くにいるときに、操作端末１２Ｂにおいて「読み取り実行」ボタン６２（図５）を押した場合、例えば、図７に示すように、「ユーザが画像形成装置を直接利用しています。操作端末から読み取りを実行できません。読み取り実行指示操作部から読み取りを実行してください。」というメッセージ７６がポップアップ表示される。
【００３３】
図８は、図４に示す読み取り設定登録処理のサブルーチンのフローチャートである。
ステップＳ３０１では、読み取り設定登録部４６は、設定記録部５２にどの操作端末１２Ａ、１２Ｂも設定データについての設定ロックを登録していないか否かを判断する。すなわち、設定記録部５２のロック端末設定データにＩＰアドレスが登録されているか否かを判断する。これは操作端末１２Ａ、１２Ｂが設定データの設定ロックの登録を行っていなかった場合でも、読み取り設定を登録できる唯一の条件である。
ステップＳ３０２では、読み取り設定登録部４６は、指示元の操作端末１２Ｂが設定データについてのロック登録を事前に行っているか否かを判断する。登録を行っていた場合、指示元の操作端末１２Ａの情報（ＩＰアドレス）が設定記録部５２のロック端末設定データに登録されているため、それを確認する。
【００３４】
ステップＳ３０３では、読み取り設定登録部４６は、指示された読み取り設定データを設定記録部５２の読み取り設定データとして登録する。
指示元の操作端末１２Ｂとは異なる他の操作端末１２Ａが、事前に設定データの設定ロックの登録を行っていた場合、指示された読み取り設定は実行できない。そこで、ステップＳ３０４では、読み取り設定登録部４６は、他の操作端末１２Ａが事前に設定テーブル５２ｔに設定データの設定ロックの登録を行っていたため、読み取り設定指示に対応した処理を実行できなかったことを指示元の操作端末１２Ｂに通知する。
操作端末１２Ｂ上で動作しているアプリケーションソフトウエアはこの通知を受信し、図１０に示す例のように、この通知の内容を画面上に表示することができる。
【００３５】
図９は、操作端末からの読み取り設定データを登録するための操作画面の一例について説明するための図である。
操作端末１２Ａ、１２Ｂは、操作端末上で動作するアプリケーションソフトウエアを用いてユーザからの操作を受け付け、読み取り条件を表す設定データの設定を表す読み取り設定指示や、読み取り実行指示を発行する。図９はそのアプリケーションソフトウエアにより表示された操作画面７０の一例である。
ここで、図９に示す操作画面７０に表示されている各設定項目について説明する。
実行パラメータについての項目は、原稿の読み取りと、原稿を読み取った結果として生成される画像データに対しての設定データを示しており、この例では原稿サイズをＡ４、カラーモードをカラー写真、画質を６００ＤＰＩ、保存形式をＰＤＦに指定している。
【００３６】
保存先についての項目は、読み取りを実行した後、読み取った画像データの保存先として、「操作端末に保存」、「本体に保存」、「保存先指定（ＩＰアドレス）」を示しており、この例では当該設定を行っている操作端末に保存することを指定している。
設定ロックについての項目は、設定内容として「時間で解除」、「読み取り実行で解除」を示しており、この例ではこの設定データを登録した後、３００秒後に自動でロックを解除するという設定内容を指定している。
なお、図９に示す例では、設定データについての設定ロック指示とロック解除指示をユーザが指定できるように構成しているが、これは操作端末上で動作するアプリケーションソフトウエアなどが自動で設定データについての設定ロック指示やそのロック解除指示を行ってもよく、また画面上に設定ロック指示についての項目はなくてもよい。
【００３７】
図９に示す操作画面の例では、設定データの設定ロックやロック解除は、アプリケーションソフトウエアが操作画面に設定された項目に従って行う。
設定データの設定ロックは、読み取り設定を行うときに同時に行うため、設定データのロックができなかった場合でも、読み取り設定の登録ができなかったこととして表示する。
また、ロック解除は、設定データがロック状態となった場合にしか行わないため、もしロック解除ができなかった場合はアプリケーションソフトウエアのエラーであるため、エラー処理を行う。
「読み取り設定登録」ボタン７２は、ＧＵＩ機能を用いて操作画面に設定している内容を画像形成装置１０に送信するためのボタンである。「読み取り実行」ボタン７４は、操作画面に設定した読み取り設定条件に従って画像形成装置１０に読み取を実行させるためのボタンである。
【００３８】
この例では、「読み取り実行」ボタン７４の表示色がグレーアウトしている。このグレーアウト表示では、現在、「読み取り実行」ボタン７４が利用不可能であることを示している。これは、他のユーザが画像形成装置１０の近くにおり、他のユーザが原稿を原稿台に載置しているかもしれない状態であるため、操作端末からの読み取りが実行できないことが原因である。
他のユーザが画像形成装置１０の近傍から離れた場合、「読み取り実行」ボタン７４のグレーアウト表示も解除される。同様に、他のユーザの操作端末１２Ａが読み取り設定データについて設定ロックしている場合、「読み取り設定登録」ボタン７２もグレーアウト表示となる。これは他のユーザの操作端末１２Ａが画像形成装置１０の読み取り条件を表す設定データを設定ロックしている場合、画像形成装置１０に設定しようと読み取り設定指示を発行したとしても、それは受け付けられない。そのため、設定データの登録ができないことを示すため表示色をグレーアウト表示に変更する。
図９に示す例では、読み取り条件を表す設定データを登録ができる否か、読み取り実行ができるか否かを「読み取り実行」ボタン７４に対してグレーアウト表示に変更して示しているが、それらをユーザに知らせる手段は図７や図１０のように操作画面にポップアップで警告を表示するように構成してもよい。
【００３９】
図１０は、他のユーザの操作端末１２Ａが既に設定データの設定ロックを行っているため、読み取り条件を表す設定データを登録ができないことを警告しているポップアップの例について説明するための図である。
操作端末１２Ｂは、他のユーザの操作端末１２Ａが設定データをロック状態にしている場合に、「読み取り設定登録」ボタン７２を押した場合に、例えば、図１０に示すように、「現在、操作端末１２Ａがロックしています。読み取り設定を登録できません。」というメッセージ７８がポップアップ表示される。
【００４０】
図１１は、図４に示す設定ロック処理のサブルーチンを示すフローチャートである。
ステップＳ４０１では、設定ロック管理部４８は、設定記録部５２に記憶されているロック端末設定データを参照することで、設定データの設定ロックを登録している操作端末（ＩＰアドレス）が存在するか否かを調べる。
ステップＳ４０２では、設定ロック管理部４８は、設定ロック指示を送信した送信元の操作端末のＩＰアドレスを、設定記録部５２にロック端末設定データとして登録する。これにより、このロック状態が解除されるまで、既に設定ロック指示を送信した送信元の操作端末１２Ａ以外の操作端末１２Ｂは、読み取り条件を表す設定データとして設定記録部５２に登録できなくなる。
次いで、ステップＳ４０３では、設定ロック管理部４８は、タイマ３６ｄを用いて計時をスタートする。
【００４１】
一方、ステップＳ４０４では、設定ロック管理部４８は、指示元の操作端末１２Ｂ以外の操作端末１２Ａが、事前に設定ロックを登録していた場合、新たに設定データの設定ロックを設定記録部５２に登録することはできない。そのため、設定データの設定ロックの登録ができなかったことと、事前に設定データの設定ロックを登録していた操作端末１２Ａの情報を、設定データについての設定ロック指示を送信した送信元の操作端末１２Ｂに通知する。
この際、設定データのロックは操作端末上で動作するアプリケーションソフトウエアが行ってもよいため、アプリケーションソフトウエアによってこの通知をどのように表示するのかは端末に依存する。例えば、図９に示す操作画面７０を表示するアプリケーションソフトウエアの例のように、読み取り設定を行うときに設定データのロックを自動で行うアプリケーションソフトウエアの場合、読み取り設定ができなかったことを操作端末１２Ｂ上に表示することができる。
また、図５に示すようなユーザが設定ロック指示を発行するため、操作端末に搭載されたアプリケーションソフトウエアを用いて、設定データの設定ロックが行えなかったことと、設定データをロックした操作端末１２Ａの情報を、図１２に示すように操作端末１２Ｂ上に表示することができる。
【００４２】
図１２は、設定データの設定ロックが行えなかったことを警告しているポップアップの例について説明するための図である。
図５に示すような設定データについての設定ロック指示をユーザが指示できるアプリケーションソフトウエアを用いて、設定ロック指示に対応した処理が行えなかった場合、例えば、図１２に示すように、「操作端末１２Ａが設定をロックしているため、設定のロックができませんでした。」というメッセージ８０がポップアップ表示される。
【００４３】
図１３は、図４に示すロック解除処理のサブルーチンを示すフローチャートである。
ステップＳ５０１では、設定ロック管理部４８は、指示元の操作端末の情報（例えば、ＩＰアドレス）が事前に設定記録部５２のロック端末設定データに登録されているか否かを判断する。
ステップＳ５０２では、設定ロック管理部４８は、指示元の操作端末が事前に設定データの設定ロックの登録を行っていた場合、設定記録部５２からロック端末設定データを削除することで、どの操作端末も設定データの設定ロックを行っていない状態とする。
なお、設定ロック管理部４８は、タイマ３６ｄがタイムアウト（例えば、３００秒後）した場合も、設定記録部５２からロック端末設定データ（ＩＰアドレス）を削除することで、どの操作端末も設定データの設定ロックを行っていない解除状態とする。
【００４４】
一方、ステップＳ５０３では、設定ロック管理部４８は、指示元の操作端末が事前に設定データのロックの登録を行っていなかった場合、設定データについてのロック解除指示に対応する処理を実行できない。そのため、設定データについてのロック解除が行えなかったことと、指示元の操作端末が設定データについての設定ロックの登録をしていないことを、指示元の操作端末に通知する。
ロック解除が失敗したことを表示してもユーザの利便性の向上には繋がらないが、この情報は操作端末上でエラーログなどに利用することができる。
また、ロック解除は操作端末内で動作するアプリケーションソフトウエアが行ってもよいため、ロック解除が実行できないことはアプリケーションソフトウエア側のエラーであることもありうる。
図９に示すアプリケーションソフトウエアの例のように、ロック解除が実行できないことがエラーとなる場合、アプリケーションソフトウエアはエラー処理を行うこともできる。
【００４５】
＜本発明の実施態様例の構成、作用、効果＞
＜第１態様＞
本態様の画像形成装置１０（画像取得装置）は、少なくとも１つの操作端末１２からの操作指示をルータ装置１４及びＬＡＮケーブル１６（通信ネットワーク）を介して受信する通信部４０と、操作指示に従って原稿２８から画像データを読み取るエンジン３８と、を備えた画像形成装置１０（画像取得装置）であって、自装置に人体を含む物体が接近したか否かを検知する人体検知部４２と、操作端末から受信したエンジン３８に係る読み取り条件を表す設定データを記録する設定記録部５２と、設定記録部５２に記録された設定データを所定の期間だけロック状態に設定する設定ロック管理部４８と、ユーザによる手動操作を受け付けて原稿読み取り実行指示を出力する読み取り実行指示操作部２４と、設定データがロック状態に設定されている場合に、人体検知部４２が物体の接近を検知すると、原稿読み取り実行指示に従ってエンジン３８により画像を読み取り、操作指示を拒否する読み取り実行部４４と、を備えたことを特徴とする。
本態様によれば、操作端末から受信したエンジン３８に係る読み取り条件を表す設定データを記録し、記録された設定データを所定の期間だけロック状態に設定しておき、設定データがロック状態に設定されている場合に、物体の接近を検知すると、ユーザによる手動操作を受け付けたことを表す原稿読み取り実行指示に従ってエンジン３８により画像を読み取り、操作指示を拒否することができる。
これにより、あるユーザが手動操作により直接に画像形成装置１０を操作している可能性がある場合に、他のユーザが操作端末からの操作により当該画像形成装置１０を操作したときでも、あるユーザの原稿画像が他のユーザに盗取されることを防止することができる。
【００４６】
＜第２態様＞
本態様の画像形成装置１０（画像取得装置）は、時間を計時するタイマ３６ｄを備え、設定ロック管理部４８は、設定データがロック状態に設定された時点から原稿読み取り実行指示がない放置状態が継続されている時間が一定時間を超えていない場合に、ロック状態を継続することを特徴とする。
本態様によれば、設定データがロック状態に設定された時点から原稿読み取り実行指示がない放置状態が継続されている時間が一定時間を超えていない場合に、ロック状態を継続することで、設定データがロック状態となって独占されることを一定時間に限って許容することができる。
【００４７】
＜第３態様＞
本態様の画像形成装置１０（画像取得装置）は、時間を計時するタイマ３６ｄを備え、設定ロック管理部４８は、放置状態が継続されている時間が一定時間を超えた場合に、ロック状態を解除することを特徴とする。
本態様によれば、放置状態が継続されている時間が一定時間を超えた場合に、ロック状態を解除することで、設定データがロック状態となって独占されたまま放置され、他のユーザが設定できないという事態が発生することを防止することができる。
【００４８】
＜第４態様＞
本態様の読み取り実行指示操作部２４は、自装置に設けられた固定のスイッチ３４であることを特徴とする。
本態様によれば、スイッチ３４が画像形成装置１０に物理的に固定されているため、原稿の読み取りを行わせるユーザは原稿が画像形成装置１０に載置された状態でスイッチ３４を押す必要がある。そのため、原稿の持ち主であるユーザ以外のユーザが、読み取りを実行する可能性をさらに低減することができる。
【００４９】
＜第５態様＞
本態様の読み取り実行指示操作部２４は、画像形成装置１０に設けられた操作パネル部３２であることを特徴とする。
本態様によれば、画像形成装置１０に設けられた操作パネル部３２を用いて、手動操作を行うことができるため、部品コストを低減することができる。
【００５０】
＜第６態様＞
本態様の読み取り実行指示操作部２４は、ユーザによる手動操作を受け付けて原稿読み取り実行指示を出力する専用の操作端末と、専用の操作端末から原稿読み取り実行指示を受信する通信部４０（受信手段）と、を備えたことを特徴とする。
本態様によれば、ユーザによる手動操作を受け付けて原稿読み取り実行指示を出力する専用の操作端末から原稿読み取り実行指示を通信部４０で受信することで、専用の操作端末についての運用ルールを予め決めておけば、備え付けの操作部がなくとも、専用の操作端末のみで画像形成装置１０を操作することができる。
【００５１】
＜第７態様＞
本態様の画像形成装置は、第１態様乃至第６態様の何れか一項に記載の画像形成装置１０（画像取得装置）を備えたことを特徴とする。
本態様によれば、画像取得装置を画像形成装置に搭載することで、あるユーザが手動操作により直接に画像形成装置１０を操作している可能性がある場合に、他のユーザが操作端末からの操作により当該画像形成装置１０を操作したときでも、あるユーザの原稿画像が他のユーザに盗取されることを防止することができる。
【００５２】
＜第８態様＞
本態様の画像読み取りシステムは、通信ネットワークを介して操作指示を送信する少なくとも１つの操作端末と、操作端末１２からの操作指示をルータ装置１４及びＬＡＮケーブル１６（通信ネットワーク）を介して受信する通信部４０と、操作指示に従って原稿２８から画像データを読み取るエンジン３８を有する画像形成装置１０（画像取得装置）と、を備えた、画像読み取りシステムであって、画像形成装置１０（画像取得装置）は、自装置に人体を含む物体が接近したか否かを検知する人体検知部４２と、操作端末から受信したエンジン３８に係る読み取り条件を表す設定データを記録する設定記録部５２と、設定記録部５２に記録された設定データを所定の期間だけロック状態に設定する設定ロック管理部４８と、ユーザによる手動操作を受け付けて原稿読み取り実行指示を出力する読み取り実行指示操作部２４と、設定データがロック状態に設定されている場合に、人体検知部４２が物体の接近を検知すると、原稿読み取り実行指示に従ってエンジン３８により画像を読み取り、操作指示を拒否する読み取り実行部４４と、を備えたことを特徴とする。
本態様によれば、操作端末から受信したエンジン３８に係る読み取り条件を表す設定データを記録し、記録された設定データを所定の期間だけロック状態に設定しておき、設定データがロック状態に設定されている場合に、物体の接近を検知すると、ユーザによる手動操作を受け付けたことを表す原稿読み取り実行指示に従ってエンジン３８により画像を読み取り、操作指示を拒否することができる。
これにより、あるユーザが手動操作により直接に画像形成装置１０を操作している可能性がある場合に、他のユーザが操作端末からの操作により当該画像形成装置１０を操作したときでも、あるユーザの原稿画像が他のユーザに盗取されることを防止することができる。
【００５３】
＜第９態様＞
本態様の画像取得方法は、少なくとも１つの操作端末からの操作指示をルータ装置１４及びＬＡＮケーブル１６（通信ネットワーク）を介して受信する通信部４０と、操作指示に従って原稿から画像データを読み取るエンジン３８と、自装置に人体を含む物体が接近したか否かを検知する人体検知部４２と、ユーザによる手動操作を受け付けて原稿読み取り実行指示を出力する読み取り実行指示操作部２４と、を備え、画像形成装置１０（画像取得装置）による画像取得方法であって、操作端末から受信したエンジン３８に係る読み取り条件を表す設定データを設定記録部５２に記録する記録ステップ（Ｓ３０３）と、設定記録部５２に記録された設定データを所定の期間だけロック状態に設定する設定ロック管理ステップ（Ｓ４０２）と、設定データがロック状態に設定されている場合に、人体検知部４２が物体の接近を検知すると、原稿読み取り実行指示に従ってエンジン３８により画像を読み取り、操作指示を拒否する読み取り実行ステップ（Ｓ２０５）と、を実行することを特徴とする。
本態様によれば、操作端末から受信したエンジン３８に係る読み取り条件を表す設定データを記録し、記録された設定データを所定の期間だけロック状態に設定しておき、設定データがロック状態に設定されている場合に、物体の接近を検知すると、ユーザによる手動操作を受け付けたことを表す原稿読み取り実行指示に従ってエンジン３８により画像を読み取り、操作指示を拒否することができる。
これにより、あるユーザが手動操作により直接に画像形成装置１０を操作している可能性がある場合に、他のユーザが操作端末からの操作により当該画像形成装置１０を操作したときでも、あるユーザの原稿画像が他のユーザに盗取されることを防止することができる。
【００５４】
＜第１０態様＞
本態様のプログラムは、第９態様に記載の画像取得方法における各ステップをプロセッサに実行させることを特徴とする。
本態様によれば、第９態様に記載の各ステップをプロセッサに実行させることができる。
これにより、あるユーザが手動操作により直接に画像形成装置１０を操作している可能性がある場合に、他のユーザが操作端末からの操作により当該画像形成装置１０を操作したときでも、あるユーザの原稿画像が他のユーザに盗取されることを防止することができる。
【符号の説明】
【００５５】
１…画像取得システム、１０…画像形成装置、１２…操作端末、１４…ルータ装置、１６…ＬＡＮケーブル、２２…人体検知センサ、２４…実行指示操作部、２６…原稿台、２８…原稿、３２…操作パネル部、３４…スイッチ、３６…コントローラ、３８…エンジン、４０…通信部、４２…人体検知部、４４…読み取り実行部、４６…設定登録部、４８…設定ロック管理部、５０…画像記録部、５２…設定記録部、６２…「読み取り実行」ボタン、６４…「読み取り設定」ボタン、６６…「設定ロック」ボタン、６８…「ロック解除」ボタン、７０…操作画面、７６…メッセージ
【先行技術文献】
【特許文献】
【００５６】
【特許文献１】特開２０１３−１８３２１５公報
【図１】
2017022488.tif 000003
【図２】
2017022488.tif 000004
【図３】
2017022488.tif 000005
【図４】
2017022488.tif 000006
【図５】
2017022488.tif 000007
【図６】
2017022488.tif 000008
【図７】
2017022488.tif 000009
【図８】
2017022488.tif 000010
【図９】
2017022488.tif 000011
【図１０】
2017022488.tif 000012
【図１１】
2017022488.tif 000013
【図１２】
2017022488.tif 000014
【図１３】
2017022488.tif 000015